(57)【特許請求の範囲】
【請求項１】
固体撮像素子の欠陥画素位置を記憶する手段を備え、欠陥画素からの映像信号を、他の画素からの映像信号により補間する方式の映像処理回路において、
補間対象となる画素を前記欠陥画素及び前記欠陥画素の周囲にある欠陥画素と同一行の複数の画素に広げ、前記欠陥画素に対する補間と共に、これら複数の画素に対する補間が実行されるように構成したことを特徴とする画像欠陥補正回路。
【請求項２】
請求項１の発明において、
前記複数の画素に対する補間を実行する手段が、
前記欠陥画素が存在するラインと同一のライン上の映像情報と、１ライン前のライン上の映像情報と、１ライン後のライン上の映像情報を用いて補間値を算出する手段と、
前記同一のライン上の映像情報から前記欠陥画素付近の映像信号レベルの平均値(もしくは低域成分量)を算出する手段と、
前記１ライン前のライン上の映像情報から欠陥画素付近の位相に相当する映像信号レベルの平均値(もしくは低域成分量)を算出する手段と、
前記１ライン後のライン上の映像情報から欠陥画素付近の位相に相当する映像信号レベルの平均値(もしくは低域成分量)を算出する手段と、
前記各平均値(もしくは低域成分量)を比較し、その比較結果に基づいて、前記同一のライン上の映像情報による補間値と、前記１ライン前のライン上の映像情報による補間値と、前記１ライン後のライン上の映像情報による補間値の重み付けを切り替えて加算する手段とで構成され、
該加算する手段の出力を補間値として、前記欠陥画素に対する補間と、前記複数の画素に対する補間とが行なわれるように構成されていることを特徴とする画像欠陥補正回路。
【請求項３】
請求項２の発明において、
前記欠陥画素の映像信号レベル、もしくは欠陥画素付近の映像信号レベルの平均値、もしくは欠陥画素付近の映像信号の低域成分量を算出する手段を設け、
該手段の算出結果に応じて、補間の程度が制御されるように構成されていることを特徴とする画像欠陥補正回路。
【発明の詳細な説明】
【０００１】
【産業上の利用分野】
本発明は、固体撮像素子を用いた映像処理装置に係り、特に、欠陥画素を含む固体撮像素子を用いた装置を対象とする画像欠陥補正回路に関する。
【０００２】
【従来の技術】
近年、ＣＣＤ（Ｃｈａｒｇｅ  Ｃｏｕｐｌｅｄ  Ｄｅｖｉｃｅｓ）などの固体撮像素子の発展は目覚ましく、民生用の小型テレビジョンカメラから、業務用のかなり大型のテレビジョンカメラまで広く用いられるようになっているが、この固体撮像素子には、結晶欠陥などによる傷をもった画素が含まれている場合があり、これが画質劣化の要因となる。
【０００３】
特に白欠陥又は白傷と呼ばれる欠陥が存在した場合、信号レベルの高いノイズとして現われるので目に付きやすく、画質を著しく劣化させるが、しかし、このような欠陥を皆無にしようとすると、大幅な製造歩留まりの低下をきたし、工業製品として成り立ち難くなる。
【０００４】
そこで、このような固体撮像素子の白傷に対して、信号処理系で補正を行なうことにより、欠陥を有する固体撮像素子でも、ある程度までは使用可能にし、歩留まりを改善する技法について、既に幾つかの提案がなされ、また実用化されている。
【０００５】
ところで、この補正処理については、アナログ処理でもディジタル処理でも可能であるが、アナログ回路で行う方式の場合には位相合せが問題となるので、ディジタル回路で行なうのが通例である。
そこで、以下、このディジタル方式による補正回路の従来技術について、図７により説明する。
【０００６】
この図７において、ＣＣＤ７１から出力された映像信号は、まずアナログ処理部７２で増幅され、次いでＡ／Ｄ変換器７３でアナログからディジタル信号に変換される。
一方、欠陥位置情報処理回路７４はメモリを備えており、このメモリには、予めＣＣＤ７１を調べて検出した欠陥位置情報が記録されており、この位置情報に従って補正動作が働くようになっている。
【０００７】
そこで、前ライン情報回路７５は、欠陥位置情報処理回路７４のメモリから読出された欠陥位置情報に基づいて、欠陥画素が含まれている水平走査線（ライン）の１ライン前の画像情報を記録し、補間値選択回路７６で、欠陥画素付近の画像情報と１ライン前の画像情報から補間値を選択し、これらからの情報により、セレクタ回路７７で欠陥画素位置の信号に対する補間値への置き換え動作が行なわれ、補正された映像出力を得るのである。
【０００８】
このように、補間をディジタルで行なうようにすれば、欠陥位置に対する位相合わせが正確に行えるため、有効な補正を容易に得ることができる。
なお、この種の従来技術としては、例えば特開平３−２９６３７４号の公報を挙げることができる。
【０００９】
【発明が解決しようとする課題】
上記従来技術は、ＣＣＤからの信号処理系にアナログ処理が存在している点について配慮がされておらず、欠陥補正の完遂度に問題があった。
すなわち、従来技術は、ディジタル補正処理なので、位相合わせの点では問題がない。
【００１０】
しかし、従来技術では、図７から明らかなように、ＣＣＤから出力された映像信号がディジタル処理部に入力されるまでに、アナログ処理回路（増幅回路など）及びＡ／Ｄ変換器を経由しており、このとき、フィルタ効果のため帯域制限を受けてしまう点について配慮がされていない。
【００１１】
この結果、図８（ａ）に示すように、ＣＣＤ出力では１画素分であった白欠陥信号が、ディジタル処理部に入力する時点では、同図（ｂ）に示すように、なまった波形となり、一画素分の欠陥が水平走査線（ライン）方向の前後に広がって、複数画素分の画質劣化として現われる。
【００１２】
しかるに、従来技術では、欠陥画素の信号だけに置換補正を与える方式であるため、その前後の信号劣化はそのまま残り、従って、完全な補正にならないのである。
【００１３】
本発明の目的は、ディジタル処理による正確な欠陥補正が充分に得られるようにした画像欠陥補正回路を提供することにある。
【００１４】
【課題を解決するための手段】
前述のように、欠陥画素前後の信号は、本来のデータと異なっているため、これを用いて欠陥画素の補間を行なったのでは、誤った補正になってしまう。
また、この結果、欠陥画素についての補正だけではなく、その欠陥画素前後の画素の信号についての補正も必要になる。
【００１５】
このため、本発明では、補間対象となる画素を前記欠陥画素及び前記欠陥画素の周囲にある欠陥画素と同一行の複数の画素に広げ、前記欠陥画素に対する補間と共に、これら複数の画素に対する補間が行なわれるようにしたものである。
【００１６】
更に、別の本発明では、補間に用いる情報として、主に前ライン上の映像情報及び後ライン上の映像情報を利用し、欠陥画素と同一のライン上の画像情報については、欠陥画素及びその前後の画素のデータを除いて補間に使用するように構成したものである。
前ライン上の映像情報及び後ライン上の映像情報を用いて補正を行うため、欠陥画素だけでなく、その前後の信号についても補間が可能になる。
【００１７】
ただ、前後ラインの情報で補正するため、ラインと平行な絵柄、つまり横縞模様の画像入力に対しては誤って補正を行う可能性がある。
これを避けるため、更に、別の本発明では、垂直走査線方向の画像の変化を判定し、その結果に基づいて補間値の重み付けを切り替えるようにする。
【００１８】
その結果、欠陥画素だけではなく、欠陥画素の前後の信号についても適切な補正を行うことができ、ディジタル処理による正確な画像欠陥補正を得ることができる。
【００１９】
【発明の実施の形態】
以下、本発明による画像欠陥補正回路について、図示の実施形態により詳細に説明する。
図１は、本発明の一実施形態で、ここでは、ＣＣＤからＡ／Ｄ変換して得たディジタル映像信号の内、欠陥画素があるライン上からの信号を本線ライン信号Ｘとし、この本線ライン信号から１ライン前のラインの信号を前ライン信号Ａ、そして、本線ライン信号より１ライン後のラインの信号を後ライン信号Ｂとし、これら３本のラインの信号を夫々入力するように構成してある。
【００２０】
ここで、これらの信号は、以下のようにして得られる。
すなわち、まず、ＣＣＤからＡ／Ｄ変換して得たディジタル映像信号をそのまま前ライン信号Ａにする。
そうすれば、映像信号を１ライン時間遅延したのが本線ライン信号Ｘであり、２ライン時間遅延したのが後ライン信号Ｂとなる。
【００２１】
図１に戻り、まず、欠陥位置情報処理回路１にはメモリが備えてある。
そして、このメモリには、予め組み合わされるＣＣＤを検査測定して求めた欠陥画素の位置情報を記憶しておく。
そして、これにより、欠陥位置情報処理回路１は、外部から入力される映像同期信号と、これに基づいてメモリから読出した欠陥位置情報、及び補間範囲設定回路２から与えられる補間範囲指定情報に基づいて、各部分の制御を所定のタイミングで実行する。
【００２２】
次に、補間値生成回路３は、本線ライン信号Ｘから補間値ＣＸを生成する働きをする。
このときの補間値の生成には、補間対象画素の前後複数画素分の信号を用いるようになっている。
図２は、この補間値生成回路３の詳細を示したもので、図において、２１はシフトレジスタ、２２は乗算器、２３は加算器である。
欠陥画素と同一のライン上にある信号、すなわち、本線ライン信号から補間値を生成する場合、補間対象画素の位相をＺ（０）とすると、Ｚ（−３）〜Ｚ（−１）、Ｚ（＋１）〜Ｚ（＋３）に定数を乗じて加算した出力が補間値ＣＸに相当する。
【００２３】
従来技術の問題点として指摘したように、欠陥信号は、ディジタル処理部に入力する時点では、なまった波形となり、欠陥画素前後の信号も本来のデータと異なっているため、これを用いて欠陥画素の補間を行えば、誤った補正になってしまい、且つ、この結果、欠陥画素だけではなく、前後の画素の信号についても補正をする必要がある。
【００２４】
従って、この図２の補間値生成回路３の構成では、欠陥画素信号Ｚ（０）の前後信号は補正に利用できないことになる。
そこで、前後信号の範囲を１画素分とすると、Ｚ（−１）及びＺ（＋１）を除き、Ｚ（−３）〜Ｚ（−２）、Ｚ（＋２）〜Ｚ（＋３）に、乗算器２２により定数を乗じて、加算器２３で加算した出力を補間値とすれば良い。ここで、この定数は、全ての定数値を加算したとき、１倍になるという条件のもとに決められる。
【００２５】
次に、欠陥画素の前後信号Ｚ（−１）及びＺ（＋１）の補間に使用する補間値を作る場合には、信号Ｚ（−１）に対してはＺ（０）、Ｚ（＋１）の信号は補間に利用できないことになる。
そして、このとき、最も相関性が強い信号はＺ（−２）になるため、これの比重を大きくして、つまり乗算器２２による定数を大きくして、信号Ｚ（−３）及びＺ（＋２）と加算演算して補間値ＣＸを生成する。
【００２６】
また、信号Ｚ（＋１）に対しては、Ｚ（０）、Ｚ（−１）の信号は補間に利用できないことになり、最も相関性が強い信号はＺ（＋２）であるため、これの比重を大きくして、信号Ｚ（＋３）及びＺ（−２）と加算演算して補間値ＣＸを生成する。
従って、この実施形態によれば、欠陥画素前後信号の劣化を考慮した補正を得ることができる。
【００２７】
しかし、このままでは、補正対象に対し最も相関性の強い筈の信号を補間に利用できないため、完全な補間にならない。
そこで、この解決のため、図１の実施形態では、補間値生成回路３の他にも補間値生成回路４、５を設け、相関性の強い信号として、垂直走査方向の信号を補間に用いるようにしたものである。
【００２８】
まず、図３は、本線ライン信号（ｘ１、ｘ２、ｘ、ｘ４、ｘ５）と前ライン信号（ａ１〜ａ５）、及び後ライン信号（ｂ１〜ｂ５）の関係を、欠陥画素ｘを中心にして示したものである。
そして、まず、補間値生成回路４は、前ライン信号Ａから補間値ＣＡを生成する。
このときの補間値生成処理は、本質的には図２で示した内容と同様であるが、欠陥画素ｘと最も相関性の強い信号ａ３に比重を掛け、ａ２及びａ４の信号と加算して補間値ＣＡを得るようにする。
【００２９】
次に、補間値生成回路５では、後ライン信号Ｂから補間値ＣＢを生成する。  これも図２で示したものと同様であるが、欠陥画素ｘと最も相関性の強いｂ３信号に比重を掛け、ｂ２及びｂ４の信号に加算して補間値ＣＢを得るのである。
【００３０】
そして、この実施形態では、以上のようにして生成した本線ライン信号Ｘによる補間値ＣＸと、前ライン信号Ａによる補間値ＣＡ、及び後ライン信号Ｂによる補間値ＣＢに、夫々重み付けをして加重した値を最終的な補間値Ｃとするのである。
【００３１】
従って、この実施形態によれば、相関性の強い信号（ａ３、ｂ３）が利用できるため、より正確な補正が得られる。
また、同様に、欠陥画素（ｘ）の前後信号ｘ２、ｘ４に対する補間値として、まず信号ｘ２については、信号ａ１、ａ２、ａ３及びｂ１、ｂ２、ｂ３を用いて生成し、信号ｘ４については、信号ａ３、ａ４、ａ５及びｂ３、ｂ４、ｂ５を用いて生成すれば、欠陥画素の場合と同様に、正確な補正が得られる。
【００３２】
次に、上記した、補間値ＣＸと補間値ＣＢ、及び補間値ＣＡに対する重み付けについて説明する。なお、この重み付けは、基本的には、本線ライン信号Ｘによる補間値ＣＸは、欠陥画素の前後信号の歪みの問題から相関性の弱い信号となるため比重は軽く、前ライン信号Ａ、及び後ライン信号Ｂによる補間値ＣＡ、ＣＢの比重を重くしてやればよい。
【００３３】
しかして、この場合には、ラインと平行な絵柄、つまり横縞模様の画像入力に対しては誤った補正を行う可能性がある。
いま、判り易くするため、本線ライン分の比重を０、前ライン分、後ライン分をそれぞれ０．５とし、入力画像は、水平方向に変化がない絵柄とする。
そうすると、この場合での期待値と補間値のずれは、図４に示すようになる。なお、この図で、Ｘは本線ライン信号のレベルで、欠陥画素信号の本来の値、つまり期待値を示し、ＣＸは補間値を示す。
【００３４】
この図４から明らかなように、パターン１では、補間値は期待値に近いが、パターン２、パターン３となるに従って補間値と期待値のずれが大きくなる。
この問題を避けるためには、垂直走査線方向の画像の変化を判定し、その結果に基づいて補間値の重み付けを切り替える必要があり、図１の実施形態では、この方法が適用されている。
【００３５】
図１に戻って具体的に説明する。
まず、レベル検出回路６は、本線ライン上の映像情報から欠陥画素付近の映像信号レベルの平均値（もしくは低域成分量）を算出する。
次に、レベル検出回路７は、前ライン上の映像情報から欠陥画素付近の位相に相当する映像信号レベルの平均値（もしくは低域成分量）を算出する。
また、レベル検出回路８は、後ライン上の映像情報から欠陥画素付近の位相に相当する映像信号レベルの平均値（もしくは低域成分量）を算出する。
そして、これらの検出結果は画像判定回路９に入力される。
【００３６】
そこで、画像判定回路９は、各平均値（もしくは低域成分量）を比較し、その比較結果に基づいて、同一ライン上の映像情報による補間値、前ライン上の映像情報による補間値、及び後ライン上の映像情報による補間値の重み付けの切り替え制御を、以下に示すようにして行う。
【００３７】
まず、レベル検出回路６の出力（本線ライン信号のレベル平均値）をＬＸ、レベル検出回路７の出力（前ライン信号のレベル平均値）をＬＡ、レベル検出回路８の出力（後ライン信号のレベル平均値）をＬＢとし、ＬＡ−ＬＸ及びＬＢ−ＬＸの比較演算を行う。
次に、この演算結果に基づいて、以下の▲１▼〜▲９▼に示す基準で重み付けの値を切り替えるのである。
【００３８】
ここで、αはレベル変化の下側の基準値、βはレベル変化の上側の基準値を示しており、考え方としては、信号ＬＡ、ＬＸ、ＬＢのレベルに変化がなければ、信号ＬＡとＬＢで補間を行い、レベル変化が大きい場合は、信号ＬＡとＬＢに信号ＬＸの成分を加えて補間するのである。
【００３９】
▲１▼  ｜ＬＡ−ＬＸ｜≦α、且つ｜ＬＢ−ＬＸ｜≦αの場合
補間値Ｃ＝０．５ＣＡ＋０．５ＣＢ
▲２▼  α＜｜ＬＡ−ＬＸ｜≦β、且つ｜ＬＢ−ＬＸ｜≦αの場合
（ａ）  ＬＡ−ＬＸ≧０、且つＬＢ−ＬＸ≧０の場合
補間値Ｃ＝０．２５ＣＸ＋０．２５ＣＡ＋０．５ＣＢ
（ｂ）  ＬＡ−ＬＸ＜０、且つＬＢ−ＬＸ≧０の場合
補間値Ｃ＝０．２５ＣＡ＋０．７５ＣＢ
（ｃ）  ＬＡ−ＬＸ≧０、且つＬＢ−ＬＸ＜０の場合
補間値Ｃ＝０．２５ＣＡ＋０．７５ＣＢ
（ｄ）  ＬＡ−ＬＸ＜０、且つＬＢ−ＬＸ＜０の場合
補間値Ｃ＝０．２５ＣＸ＋０．２５ＣＡ＋０．５ＣＢ
▲３▼  ｜ＬＡ−ＬＸ｜≦α、且つα＜｜ＬＢ−ＬＸ｜≦βの場合
（ａ）  ＬＡ−ＬＸ≧０、且つＬＢ−ＬＸ≧０の場合
補間値Ｃ＝０．２５ＣＸ＋０．５ＣＡ＋０．２５ＣＢ
（ｂ）  ＬＡ−ＬＸ＜０、且つＬＢ−ＬＸ≧０の場合
補間値Ｃ＝０．７５ＣＡ＋０．２５ＣＢ
（ｃ）  ＬＡ−ＬＸ≧０、且つＬＢ−ＬＸ＜０の場合
補間値Ｃ＝０．７５ＣＡ＋０．２５ＣＢ
（ｄ）  ＬＡ−ＬＸ＜０、且つＬＢ−ＬＸ＜０の場合
補間値Ｃ＝０．２５ＣＸ＋０．５ＣＡ＋０．２５ＣＢ
▲４▼  α＜｜ＬＡ−ＬＸ｜≦β、且つα＜｜ＬＢ−ＬＸ｜≦βの場合
（ａ）  ＬＡ−ＬＸ≧０、且つＬＢ−ＬＸ≧０の場合
補間値Ｃ＝０．５ＣＸ＋０．２５ＣＡ＋０．２５ＣＢ
（ｂ）  ＬＡ−ＬＸ＜０、且つＬＢ−ＬＸ≧０の場合
補間値Ｃ＝０．２５ＣＸ＋０．３７５ＣＡ＋０．３７５ＣＢ
（ｃ）  ＬＡ−ＬＸ≧０、且つＬＢ−ＬＸ＜０の場合
補間値Ｃ＝０．２５ＣＸ＋０．３７５ＣＡ＋０．３７５ＣＢ
（ｄ）  ＬＡ−ＬＸ＜０、且つＬＢ−ＬＸ＜０の場合
補間値Ｃ＝０．５ＣＸ＋０．２５ＣＡ＋０．２５ＣＢ
▲５▼  ｜ＬＡ−ＬＸ｜＞β、且つ｜ＬＢ−ＬＸ｜≦αの場合
補間値Ｃ＝０．１２５ＣＸ＋０．８７５ＣＢ
▲６▼  ｜ＬＡ−ＬＸ｜≦α、且つ｜ＬＢ−ＬＸ｜＞βの場合
補間値Ｃ＝０．１２５ＣＸ＋０．８７５ＣＡ
▲７▼  ｜ＬＡ−ＬＸ｜＞β、且つα＜｜ＬＢ−ＬＸ｜≦βの場合
補間値Ｃ＝０．５ＣＸ＋０．５ＣＢ
▲８▼  α＜｜ＬＡ−ＬＸ｜≦β、且つ｜ＬＢ−ＬＸ｜＞βの場合
補間値Ｃ＝０．５ＣＸ＋０．５ＣＡ
▲９▼  ｜ＬＡ−ＬＸ｜＞β、且つ｜ＬＢ−ＬＸ｜＞βの場合
補間値Ｃ＝ＣＸ
画像判定回路９は上記判定基準に基づき、重み付け選択回路１０、１１、１２を制御し、重み付けの組み合わせを切り替える。
選択回路１０、１１、１２の出力は加算器１３で加重され、最終的な補間値Ｃとなり、セレクタ１５に供給される。
【００４０】
セレクタ１５は、欠陥位置情報処理回路１から入力される欠陥位置情報により切り替え制御され、欠陥画素及びその前後の補間すべき信号が現われたタイミングで本線ライン信号Ｘを補間値Ｃに切り替え、欠陥が補間された映像出力を取り出すのである。
【００４１】
このとき、本線ライン信号Ｘの経路には、遅延回路１４が設けてあり、これにより、本線ライン信号Ｘと補間値Ｃの間に生じてしまう位相差が補正されることになり、従って、セレクタ１５の出力には、正確に補間された映像信号が得られることになる。
【００４２】
ところで、補間値の算出や補間の対象とすべき欠陥画素の前後の信号の個数としては、必ずしも１画素分の信号に限らない。
そこで、この実施形態では、補間範囲設定回路２が設けてあり、従って、これにより、対象とする信号の個数を任意に選択することができる。
【００４３】
次に、本発明の他の実施形態について、図５により説明する。
ＣＣＤに画素欠陥があったときでも、欠陥が目立つのは、欠陥画素付近の映像信号レベルが低い場合であり、信号レベルが高い場合はあまり目立たない。
それどころか、信号レベルが高い場合に欠陥補間を施すと、かえって期待値に対する補間値のずれが目立ってしまうことがある。
【００４４】
そこで、これを避けるため、この図５の実施形態では、欠陥画素付近の映像信号レベルに応じて、欠陥補正の割合を変化させる機能を設けたものであり、このため、図１の実施形態に対して乗算器５３、５４と、加算器５５を付加したものである。
【００４５】
従って、この図５において、補間値生成回路５１は、図１に示す実施形態の回路から、本線ライン信号用のレベル検出回路６と遅延回路１４、それにセレクタ１５だけを取り出して示したものであり、補間値Ｃを得るまでの動作は同じである。
【００４６】
まず、乗算器５３は、本線ライン信号Ｘに、レベル検出回路６から供給される本線ライン信号ＸのレベルＬＸに応じて定まる所定の係数（１−Ｋ）を掛け、信号（１−Ｋ）Ｘとして取り出す働きをする。
次に、乗算器５４は、補間値生成回路５１から出力される補間値Ｃに、レベル検出回路６から供給される本線ライン信号ＸのレベルＬＸに応じて定まる所定の係数Ｋを掛け、補間値ＫＣとして取り出す働きをする。
【００４７】
そして、加算器５５は、乗算器５３から出力される信号（１−Ｋ）Ｘと、乗算器５４から出力される補間値ＫＣを加算し、信号Ｃ’として取り出す働きをする。
従って、この信号Ｃ’は、
Ｃ’＝（１−Ｋ）Ｘ＋ＫＣ
となる。
ここで、係数Ｋは、０から１までの間で変化するように設定されており、従って、係数（１−Ｋ）とは、１の補数関係にある。
【００４８】
そして、この係数Ｋは、図６に示すように、本線ライン信号ＸのレベルＬＸの関数として、つまり、Ｋ＝ｆＬＸとして与えられるようになっているが、この関数ｆは、図示のように、本線ライン信号ＸのレベルＬＸに所定の基準レベルＬ０を設定しておき、この基準レベルＬ０を中心として、ほぼレベルＬＸに反比例させ、レベルＬＬ  以下ではＫ＝１で、ＬＨ  以上ではＫ＝０となるように設定してある。
【００４９】
従って、この図５の実施形態では、レベル検出回路６で検出した欠陥画素付近の本線ライン信号のレベルＬＸに応じて、補間値生成回路５１で算出した補間値Ｃと、本線ライン信号を遅延した信号Ｘを、互いにレベル１の補数関係を保った状態で選択して取り出し、補間値Ｃ’としているので、欠陥画素付近の映像信号レベルに応じて欠陥補正の割合が変化されることになり、この結果、信号レベルが高く、欠陥があまり目立たないときには、欠陥補間が働かないようにでき、過剰な補間による画質の悪化を充分に抑えることができる。
【００５０】
【発明の効果】
本発明によれば、固体撮像素子から信号所定系にアナログ処理を含んでいた場合でも、ディジタル処理による正確な欠陥補正が確実に得ることができ、固体撮像素子の歩留まりの向上によるコストダウンを充分に図ることができる。
【図面の簡単な説明】
【図１】本発明による画像欠陥補正回路の一実施形態を示すブロック図である。
【図２】本発明における補間値生成回路の一実施形態を示すブロック図である。
【図３】本線ライン信号と前ライン信号、及び後ライン信号の関係を、欠陥画素を中心にして示した説明図である。
【図４】入力信号のレベルによる補間結果のずれを示す説明図である。
【図５】本発明による画像欠陥補正回路の他の一実施形態を示すブロック図である。
【図６】本発明の他の一実施形態における係数の特性図である。
【図７】従来技術のよる画像欠陥補正回路の一例を示すブロック図である。
【図８】従来技術の問題点を説明するためのスペクトル図である。
【符号の説明】
１  欠陥位置情報処理回路
２  補間範囲設定回路
３、４、５  補間値生成回路
６、７、８  レベル検出回路
９  画像判定回路
１０、１１、１２  重み付け選択回路
１３  加算器
１４  遅延回路
１５  セレクタ
【図１】
0003633728.tif 000002
【図２】
0003633728.tif 000003
【図３】
0003633728.tif 000004
【図４】
0003633728.tif 000005
【図５】
0003633728.tif 000006
【図６】
0003633728.tif 000007
【図７】
0003633728.tif 000008
【図８】
0003633728.tif 000009